(57)【要約】【目的】本発明は、緑色、青色光線を植物に与へ植物の体内栄養濃度をつかさどるタンパク質を増加させて、うどんこ病の発生抑えることを、目的とする。【解決手段】本発明は、緑色、青色光線を夜間植物に与え植物体内にタンパク質を増量せしめ、天候不順が、続いても体内栄養濃度のバランスを保持し、うどんこ病を、軽減させる方法。【選択図】図１
2011000115.tif 000002
【特許請求の範囲】
【請求項１】
緑色蛍光灯の緑色光線上面部に青色蛍光灯の青色光線を加え植物に照射し、植物を育成制御方法。
【請求項２】
青色蛍光灯の青色光線上面部に緑色蛍光灯の緑色光線を加え植物に照射し、植物を育成制御方法。
【請求項３】
緑色蛍光灯の緑色光線と青色蛍光灯の青色光線を一平面状に並べ、植物に照射し、植物を育成制御方法。
【請求項４】
緑色ＬＥＤの緑色光線上面部に青色ＬＥＤの青色光線を加え植物に照射し、植物を育成制御方法。
【請求項５】
青色ＬＥＤの青色光線上面部に緑色ＬＥＤの緑色光線を加え植物に照射し、植物を育成制御方法。
【請求項６】
緑色ＬＥＤの緑色光線と青色ＬＥＤの青色光線を一平面状に並べ、植物に照射し、植物を育成制御方法。
【請求項７】
緑色蛍光灯の緑色光線を植物に照射し、植物を育成制御方法。
【請求項８】
青色蛍光灯の青色光線を植物に照射し、植物を育成制御方法。
【請求項９】
緑色ＬＥＤの緑色光線を植物に照射し、植物を育成制御方法。
【請求項１０】
青色ＬＥＤの緑色光線を植物に照射し、植物を育成制御方法。
【発明の詳細な説明】
【発明の詳細な説明】
【産業上の利用分野】
【０００１】本発明は、植物が夜間の呼吸作用の時間帯に青色、緑色光を与え植物の体内栄養濃度をつかさどるタンパク質をいちご植物の体内に増加させて、うどんこ病を制御方法に関する。
【背景技術】
【０００２】従来、植物のうどんこ病対策として、育成期間中に肥培管理による窒素コントロール処理を行ないながら、農薬の防除をおこなってきた、しかし農薬中心の防除のみに頼る防除技術であった。
【発明が解決しようとする課題】
【０００３】上記の従来、植物の育成期間中における、うどんこ病の防除方法は、農薬防除に頼っていた、又天候不順が、続くと次から次へと、うどんこ病が発生し、繰り返し、農薬防除のために、植物の生育時の成長を阻害する事が多くなり苦慮している。
【課題を解決するための手段】
【０００４】天候不順時期にも影響されずに緑色、青色の単独光線や、青色、緑色の複合させた光線を夜間に照射し、いちご植物植物体内の栄養濃度である、タンパク質濃度を増加させ、うどんこ病を制御することを特徴とする。
【作用】
【０００５】収穫期や、育苗中の植物の同化作用、呼吸作用に無理することなく、タンパク質を増加制御出来る。
【発明の効果】
【０００６】本発明によれば、緑色、青色の単独光線、青と緑色複合色光線利用処理することにより、無理なく且つ、自然な方法で天候に左右されることなく、タンパク質を増加させることにより、うどんこ病を抑制軽減でき、生産者にとって、多大の利益となる。
【発明を実施するための形態】
【０００７】  本発明の実施形態を、タンパク質の定量法としては、精度の高い方法として燃焼後に窒素量を測定するデルマ法と、硫酸分解後にアンモニア量を測定するケルダール法等があります。当発明の基準になった測定法は、後者の方法でいちごの葉柄、葉体をＨＡＣＨ社製ダイジェスタール２３１３０−２０型で強酸の硫酸にて４４０度Ｃにて煮沸させながら強酸化剤過酸化水素水を点滴し、２段階分解後にサンプルを取り出し、ＨＡＣＨ社製分光光度計３０００Ｒにてアンモニア量を測定するゲルタール法に基ずくものであり，精度の高いタンパク質の定量法にて測定を行なっています。
いちご植物の育成中の葉柄、葉体内のケルダール窒素の量すなわち、タンパク質の量が、無照射、緑色のみの光線の照射、青色のみの光線の照射、緑色の光線と青色の光線の組み合わせによる光線の照射等の組み合わせの違いによるいちご植物の体内にタンパク質の増大する効果が、いちご植物に発生するうどんこ病発生の多い、少いの違いの比較を調べた。
下記別表１は、緑色蛍光灯の緑色光線のみの光線をいちご植物のサンプル苗５０本に照射をした。
青色蛍光灯の青色光線のみ光線をいちご植物のサンプル苗５０本に照射をした。
緑色蛍光灯の緑色光線の上面に青色蛍光灯設置し、青色光線と緑色光線とを、同時に光線をいちご植物のサンプル苗５０本に照射をした。
青色蛍光灯の青色光線の上面に緑色蛍光灯を設置し、緑色光線と青色光線とを、同時に光線をいちご植物のサンプル苗５０本に照射をした。
蛍光灯無しは、光線照射なしにて、いちご植物サンプル苗５０本を用意した。
いちご植物５０本当たりの、緑色光線、青色光線の組み合わせ別による、いちご植物に照射の違いよる、ケルダール窒素量と、うどんこ病発生数の比較を別表１にて表示した。
尚、ケルダール窒素量は、各サンプル５０本の平均値を別表１にて表示した。
別表２には、緑色ＬＥＤの緑色光線のみの光線を、いちご植物のサンプル苗５０本に照射をした。
青色ＬＥＤの青色光線のみ光線をいちご植物のサンプル苗５０本に照射をした。
緑色ＬＥＤの緑色光線の上面に青色ＬＥＤ設置し、青色光線と緑色光線とを、同時に光線をいちご植物のサンプル苗５０本に照射をした。
青色ＬＥＤの青色光線の上面に緑色ＬＥＤを設置し、緑色光線と青色光線とを、同時に光線をいちご植物のサンプル苗５０本に照射をした。
ＬＥＤ無しは、光線照射なしにて、いちご植物サンプル苗５０本を用意した。
いちご植物５０本当たりの、緑色光線、青色光線の組み合わせ別による、いちご植物に照射の違いよる、ケルダール窒素量と、うどんこ病発生数の比較を別表１にて表示した。
尚、ケルダール窒素量は、各サンプル５０本の平均値を別表１にて表示した。いちご植物に照射の違いよる、うどんこ病は、５０本当たりの発生数の比較を表示した。
表３は、いちご生産農家の育苗パイプハウス内の実施に基ずき、緑色、青色蛍光灯を育苗ハウス内にて、苗より１ｍの高さに設置し、日没から日の出前までの３０日間による照射の効果が、ケルダール窒素の量すなわちタンパク質の多い、少ないが本圃に定植後の当該いちご植物苗の、うどんこ病発生数を比較を表示した。
【０００８】図面及び実施例、表１、表２、表３に基ずき説明する。
図５は、ビニールハウス内にて、育成中の植物いちごの株１３に、１ｍ高さの位置に日没後から日の出までの夜間に緑色の蛍光灯２０Ｗ、２を照射し、連続３０日照射した後に、ケルダール窒素量を測定１４７ｐｐｍを表示した。
図４は、ビニールハウス内にて、育成中の植物いちごの苗１３に１ｍ高さの位置に日没後から日の出までの夜間に青色蛍光灯２０Ｗ、１を照射し、連続３０日照射した後に、ケルダール窒素量を測定１３５ｐｐｍを表示した。
図１は、ビニールハウス内にて、育成中の植物いちごの株１３に、１ｍ高さの位置に日没後から日の出までの夜間に緑色の蛍光灯２０Ｗ、２の緑色光線を照射させ、当該緑色蛍光灯の上面部より０．５ｍの高さより青色蛍光灯２０Ｗ、１を設置し、上部の青色光線と下部の緑色光線を同時に３０日間連続植物いちご株１３を、照射した後ケルダール窒素量を測定１５９ｐｐｍを表示した。
図２は、ビニールハウス内にて、育成中の植物いちごの株１３に１ｍ高さの位置に日没後から日の出までの夜間に青色蛍光灯２０Ｗ、１の青色光を照射させ、当該青色蛍光灯の上面部より０．５ｍの高さより緑色蛍光灯２０Ｗ、２を設置し、上部の緑色光線と下部の青色光線を同時に３０日間連続植物いちご株１３を、照射した後ケルダール窒素量を測定１４０ｐｐｍを表示した。
図３は、ビニールハウス内にて、育成中の植物いちごの株１３に１ｍ高さの位置に日没後から日の出までの夜間に緑色蛍光灯２０Ｗ、２と青色蛍光灯２０Ｗ、１とを一平面状に並べ緑色光線と青色光線を連続３０日照射した後ケルダール窒素量を測定１７５ｐｐｍを表示した。
植物いちごの株１３の、育成中のビニールハウス内にて、蛍光灯による光線を照射せずに、３０日後ケルダール窒素量を測定８１ｐｐｍを表示した。
以上、蛍光灯光線照射無しの条件にて測定したケルダール窒素８１ｐｐｍと比較すると、緑色のみの光線照射によるケルダール窒素量１４７ｐｐｍ、次に緑色の光線の上面部から青色光線を与え同時照射したケルダール窒素量１５９ｐｐｍ、緑色光線と青色光線を平面状に与え複合させて照射したケルダール窒素量１７５ｐｐｍ、いちご植物いちご株１３に１ｍ高さより、緑色蛍光灯の緑色光線の照射と同時に緑色蛍光灯の上面又は、同一平面状に青色蛍光灯の青色光線を同時に、照射すると、緑色光線効果に、青色光線を含ませる事により、多くケルダール窒素量、すなわちタンパク質が増える事がわかる。
【０００９】  図１０は、ビニールハウス内にて、育成中の植物いちごの株１５に、０．１ｍ高さの位置に日没後から日の出までの夜間に緑色のＬＥＤ４にて緑色光線を照射し、連続して３０日後ケルダール窒素量を測定１０８ｐｐｍを表示した。
図９は、ビニールハウス内にて、育成中の植物いちごの株１５に、０．１ｍ高さの位置に日没後から日の出までの夜間青色ＬＥＤ３の青色光線を照射し、連続して３０日後ケルダール窒素量を測定９８ｐｐｍを表示した。
図６は、ビニールハウス内にて、育成中の植物いちごの株１５に０．１ｍ高さの位置に日没後から日の出までの夜間緑色ＬＥＤ４の緑色光線を照射し、上面部より０．１ｍの高さから、青色ＬＥＤ３にて青色光を照射し、連続して３０日後ケルダール窒素量を測定１１２ｐｐｍを表示した。
図７は、ビニールハウス内にて、育成中の植物いちごの株１５に０．１ｍ高さの位置に日没後から日の出までの夜間に、青色ＬＥＤ１の青色光を照射し、当該青色光線の青色ＬＥＤの上面部より  ０，１ｍ高さより、緑色ＬＥＤ４にて緑色光を照射し、連続して３０日後にケルダール窒素量を測定１０９ｐｐｍを表示した。
図８は、ビニールハウス内にて、育成中の植物いちごの株１５に０．１ｍ高さの位置に日没後から日の出までの夜間に、緑色ＬＥＤと青色ＬＥＤとを、一平面状に並べ緑色光線と青色光線との光線を複合させて照射し、連続して３０日後ケルダール窒素量を測定１２５ｐｐｍを表示した。
ビニールハウス内にて、ＬＥＤによる育成中の植物いちごの株１５に青色、緑色ＬＥＤによる光線を照射せずに、３０日後ケルダール窒素量を測定８１ｐｐｍを表示した。
以上、日没後から日の出までの夜間に、緑色、青色ＬＥＤの光線照射無しの条件にて３０日後ケルダール窒素量を測定８１ｐｐｍを表示した、ケルダール窒素量との比較をすると、緑色ＬＥＤ４の緑色光線照射による３０日後ケルダール窒素量１０８ｐｐｍ、次に緑色ＬＥＤ４の緑色光線の上面部から青色ＬＥＤ３の青色光線を同時に照射した３０日後ケルダール窒素量１１２ｐｐｍ、緑色ＬＥＤ光線と青色ＬＥＤ光線を一平面状に設置し、緑色光線と青色光線を同時に照射した３０日後ケルダール窒素量１２５ｐｐｍを表示した。
緑色光線効果が植物いちご株にとってビニールハウス内にて、育成中の植物いちごの株５に０．１ｍ高さの位置に日没後から日の出までの夜間に緑色光線の照射による、ケルダール窒素量の増加した。
緑色ＬＥＤ効果に青色ＬＥＤ光線を含ませると、より多くケルダール窒素量が増してくる。
しかしながら、前記〔０００８〕項に記載の蛍光灯の光量と、〔０００９〕項記載のＬＥＤの光量との光量差がケルダール窒素量に大きな比較差が見受けられた。以上、ケルダール窒素量の差すなわち、いちご植物の体内のタンパク質量が、うどんこ病の発生の多い少ないの差として表示された。
【実施例】
【００１０】いちごの育苗ハウスにて、実施例に基ずき説明する。
間口５．４ｍ長さ４０ｍの育苗パイプハウスにて、図１１は、パイプハウスの立面図である。ハウス内に置かれたいちご植物苗１６の上面より１ｍの高さに緑色の２０Ｗの蛍光灯７をパイプハウスに対し平行に２列設置し、又２列設置した中央に青色の２０Ｗの蛍光灯８をハウスの長手方向に、１列設置した。両側２列に設置した蛍光灯７の緑色の光線と、中央１列に設置した蛍光灯８の青色の光線が、出来るだけ均一にいちご植物苗に緑色光線と青色光線との複合した緑と青の光線としていちご株１６を照射させる為に、平面図１２にて表示のごとく、両側２列に設置した緑色２０Ｗ蛍光灯１の間隔を４ｍに設置し、中央１列に設置した青色２０Ｗ蛍光灯８の間隔を８ｍ間隔に設置し、いちご株１６の上面より１ｍの高さに、青色、緑色の全ての蛍光灯を設置した。育苗のパイプハウス立面図、図１１、育苗のパイプハウス平面図、図１２表示の育苗ハウス内には、本圃に定植する苗を８５００本置き並べた。
又前記当該育苗パイプハウス間口５．４ｍ長さ４０ｍのハウスより２Ｍ離れた隣の同等の面積を保持したパイプハウス間口５．４ｍ長さ４０ｍハウスには、蛍光灯は、設置せずに、本圃に定植する株を８５００本置き並べた。
上記記載の蛍光灯を設置したパイプハウスのいちご植物苗に全ての緑色蛍光灯、青色蛍光灯にて、７月３０日〜８月３１日までの約３０日間、日没から日の出までの夜間に緑色蛍光灯の緑色光線と青色蛍光灯の青色の光線を同時に点灯させ、いちご植物苗に照射した。昼間には、当該蛍光灯を設置したパイプハウスも、２ｍ離れた隣の同等の面積を保持した、パイプハウスは共に、日中、昼間は７月３０日〜８月３１日までの約１月間自然の太陽光に準じた育苗管理を保持した。その後８月３１日以降は日没から日の出までの夜間の緑色、青色の蛍光灯は全て消灯した。
本圃ハウスに育苗完了苗定植は、９月１０日〜９月１６日までに定植完了した。
以上３０日間実施例育苗パイプハウス間口５．４ｍ長さ４０ｍハウスにて蛍光灯の緑色光線と青色光線との照射処理したいちご植物苗と蛍光灯の照射無しのいちご植物苗の葉柄、葉体内のケルダール窒素の量すなわち、タンパク質の量とうどんこ病発生いちご植物苗の比較対照区分を設け圃場に当該いちご植物苗をサンプル１、２、３、４、５、６の各２０本ずつを定植した。
各サンプル１，２，３，４，５，６いちご植物苗として、本圃にいちご植物苗として定植後２０日目に、ケルダール法に基ずきケルダール窒素量を調べ各サンプル１，２，３，４，５，６ごとに、いちご植物苗２０本ずつの平均値を別表３にて表示した。
又、当該いちご植物苗である、各サンプル１，２，３，４，５，６いちご植物苗として、本圃にいちご植物苗として定植後２０日目に、うどんこ病発生数をチェックし、別表３に表示した。【００１１】いちごの育成中の葉柄、葉体内のケルダール窒素の量すなわち、タンパク質の量が、無照射、緑色のみの光線の照射、青色のみの光線の照射、緑色の光線照射の上面に青色の光線を同時に照射、青色光線の照射の上面に緑色光線を同時に照射、緑色光線の照射と同一平面上に青色光線を同時に照射した。
組み合わせによる光線の照射の組み合わせの違いによる効果が、いちご苗のうどんこ病発生の多少の違いの表示の比較を、下記別表１は、蛍光灯の照射による比較、表２は、ＬＥＤの照射による比較を表示した。
以上、無照射、緑色のみの光線の照射、青色のみの光線の照射、緑色光線の上面より同時に青色の光線照射、青色光線の上面より同時に緑色の光線照射、緑色光線と同一平面上より同時に青色光線を照射した。
別表１及び別表２の表示の如く、照射の組み合わせによる、蛍光灯及びＬＥＤの各光線照射をした当該いちご植物苗株と蛍光灯の無照射いちご植物苗株とを本圃に定植して後、２０日後にうどんこ病の発生した本数である。【００１２】別表３にて表示のうどんこ病発生本数の中において、サンプル２のデータにて１本と、サンプル３のデータにて１本のうどんこ病発生したいちご植物のうどんこ病は、サンプル２、サンプル３の各々２０本の圃場に定植後２０日後の、いちご植物苗平均ケルダール窒素はサンプル２において、１５６ＰＰＭ、サンプル３においては、１６０ＰＰＭの高い値を表示している。
サンプル２、サンプル３のうどんこ病が、発生したいちご植物苗を定植した圃場にて、農薬を散布しないのに、農薬を散布し、防除後、うどんこ病の発生後１２日目で、白い胞子が茶色に渇変化の症状になり、農薬防除後の効果と同じ効果となった。
圃場に定植したいちご植物苗のサンプル１のいちご植物苗の、うどんこ病の白い胞子が、農薬防除後と同じく茶色く渇変化の症状になり、うどんこ病の発生から１５日目で、白い胞子が消えた。
うどんこ病の白く付着していた、いちご植物苗の白い胞子の部分は、農薬散布後にうどんこ病の白い胞子が茶色に渇変化し、周りのいちご植物にはうどんこ病が感染しなかった。
サンプル２、におけるケルダール窒素１５６ＰＰＭ、サンプル３におけるケルダール窒素１６０ＰＰＭの高い値は、蛍光灯の緑色と青色との光線による効果がはっきりとわかる。
別表３にてうどんこ病発生本数の中において、サンプル４のデータにて５本と、サンプル５のデータにて１０本、サンプル６のデータにて１２本の、うどんこ病が発生。別表３にてケルダール窒素及びうどんこ病発生本数を表示後、その後１０日後には、かなり多くうどんこ病が対照区のサンプル４、サンプル５、サンプル６のいちご植物苗に発生した為に農薬防除に頼らざる状態になるほど隣の定植苗に、感染しながら大量に発生した為に農薬防除を行なった。
別表３にて表示、サンプル４、サンプル５、サンプル６の各々２０本の圃場に定植後２０日後の、いちご植物苗平均ケルダール窒素はサンプル４において、１１１ＰＰＭ、サンプル５においては、９８ＰＰＭ、サンプル６においては、８０ＰＰＭが、別表３にて表示。
又、サンプル１、１３６ＰＰＭサンプル２、１５６ＰＰＭ、サンプル３、１６０ＰＰＭのケルダール窒素の各２０本の平均値に対しかなり低い値を別表３に表示されている。サンプル１、サンプル２、サンプル３は、蛍光灯の緑色光線と青色光線との照射による、ケルダール窒素の値と、サンプル４、サンプル５、サンプル６は、蛍光灯による照射無しによる、ケルダール窒素の値とに大きな値の差として、別表３にて表示。【００１３】以上、〔００１０〕〔００１１〕〔００１２〕にて実施例にて説明した様に、緑色光線、青色光線を日没から日の出前の夜間に照射することにより、いちご植物の体内にケルダール窒素が増加する、すなわち、タンパク質が、いちご植物の体内に高濃度に蓄積されることによる、タンパク質効果による、うどんこ病を、発生を抑える効果が立証できた。
【表１】
2011000115.tif 000003
【表２】
2011000115.tif 000004
【表３】
2011000115.tif 000005
【図面の簡単な説明】
【図１】は、緑色蛍光灯２の上面に青色蛍光灯１を設置しいちご株１３に緑色と青色光線とを照射する模式図。
【図２】は、緑色蛍光灯２の上面に青色蛍光灯１を設置しいちご株１３に緑色と青色光線とを照射する模式図。
【図３】は、青色蛍光灯１緑色蛍光灯２を一平面上に並べ設置し、いちご株１３に緑色と青色光線とを照射する模式図。
【図４】は、青色蛍光灯１をいちご株１３の上面に設置し、青色光線を照射する模式図。
【図５】は、緑色蛍光灯２をいちご株１３上面に設置し、緑色光線を照射する模式図。
【図６】は、緑色ＬＥＤ４の上面に青色ＬＥＤ３を設置しいちご株１５に緑色と青色光線とを照射する模式図。
【図７】は、青色ＬＥＤ３の上面に緑色ＬＥＤ４を設置しいちご株１５に緑色と青色光線とを照射する模式図。
【図８】は、青色ＬＥＤ３と緑色ＬＥＤ４を一平面上に並べ設置し、いちご株１５に緑色と青色光線とを照射する模式図。
【図９】は、青色ＬＥＤ３をいちご株１５の上面に設置し、青色光線を照射する模式図。
【図１０】は、緑色ＬＥＤ４をいちご株１５上面に設置し、緑色光線を照射する模式図。
【図１１】は、パイプハウスの内部両脇に平行に設置した緑色蛍光灯７と中央部に設置した青色の蛍光灯８の配置の立面図。
【図１２】は、パイプハウスの内部両脇に平行に設置した緑色蛍光灯７と中央部に設置した青色の蛍光灯８の配置の平面図。
【符号の説明】１・・・青色蛍光灯、２・・・緑色蛍光灯、３・・・青色ＬＥＤ
４・・・緑色ＬＥＤ，１３・・・いちご植物苗、１５・・・いちご植物苗、
１６・・・いちご植物苗、７・・・緑色蛍光灯  ８・・・青色蛍光灯、
９・・・パイプハウス、
【図１】
2011000115.tif 000006
【図２】
2011000115.tif 000007
【図３】
2011000115.tif 000008
【図４】
2011000115.tif 000009
【図５】
2011000115.tif 000010
【図６】
2011000115.tif 000011
【図７】
2011000115.tif 000012
【図８】
2011000115.tif 000013
【図９】
2011000115.tif 000014
【図１０】
2011000115.tif 000015
【図１１】
2011000115.tif 000016
【図１２】
2011000115.tif 000017